(57)【要約】【課題】メモリコストの削減および表示速度の遅延を低減させることができるとともに、サイズの大きなデータが現れた場合でも正常に動作させることができるインターホンシステムを提供する。【解決手段】玄関子機１０に、所定のデータを一時的に格納するＦＩＦＯメモリ１０４と、受け取ったデータに、該データが有効なデータであるか否かを示すヘッダを付与するヘッダ付与部１０５と、ＪＰＥＧエンコーダ１０２から受け取った圧縮データを順次ＦＩＦＯメモリ１０４に入力するとともに、ＦＩＦＯメモリ１０４から順次出力される圧縮データをヘッダ付与部１０５に送信する制御を行うＦＩＦＯコントローラ１０３とを設ける。【選択図】図２
2012114731.tif 000002
【特許請求の範囲】
【請求項１】
来訪者が居住者を呼び出すための呼出ボタン、前記来訪者が前記居住者と通話するための子機マイクおよび子機スピーカ、および前記来訪者を撮像するためのカメラを有する玄関子機と、前記玄関子機からの呼び出しに応答するための通話ボタン、前記居住者が前記来訪者と通話するための親機マイクおよび親機スピーカ、および前記カメラにより撮像された撮像画像を表示するモニタを有する居室親機と、を有するインターホンシステムにおいて、
前記玄関子機は、所定のデータを一時的に格納するＦＩＦＯメモリと、前記カメラ側から受け取った撮像データを順次前記ＦＩＦＯメモリに入力するとともに、前記ＦＩＦＯメモリから順次出力される前記撮像データを前記ヘッダ付与部に送信する制御を行うＦＩＦＯコントローラと、前記ＦＩＦＯコントローラから順次受け取ったデータに、該データが有効なデータであるか否かを示すヘッダを付与するヘッダ付与部とを有しており、
前記ＦＩＦＯコントローラは、前記ＦＩＦＯメモリがフルになった場合、前記カメラ側から受け取った撮像データの前記ＦＩＦＯメモリへの入力を停止するとともに前記カメラ側から受け取った前記撮像データを破棄し、前記ＦＩＦＯメモリがエンプティになった後も、前記カメラ側から次の撮像画像の先頭となる撮像データを受け取るまでは該撮像データを破棄し、前記ＦＩＦＯメモリがエンプティになった後、前記カメラ側から次の撮像画像の先頭となる撮像データを受け取った場合、前記ＦＩＦＯメモリへの前記カメラ側から受け取った前記撮像データの書き込みを再開する制御を行う構成となっており、
前記ヘッダ付与部は、前記ＦＩＦＯコントローラから前記ＦＩＦＯメモリへの入力を停止したことを示す信号を受信するまでは、前記ＦＩＦＯコントローラから受け取ったデータに該データが有効であることを示すヘッダを付与し、前記ＦＩＦＯコントローラから前記ＦＩＦＯメモリへの入力を停止したことを示す信号を受信した場合、前記ＦＩＦＯコントローラから受け取ったデータに該データが無効であることを示すヘッダを付与し、その後前記ＦＩＦＯコントローラから前記ＦＩＦＯメモリへの入力を再開したことを示す信号を受信した場合、前記ＦＩＦＯコントローラから受け取ったデータに該データが有効であることを示すヘッダを付与する構成となっている、
インターホンシステム。
【請求項２】
前記居室親機は、前記玄関子機から送信されたデータのヘッダを解析して該データが有効であるか否かを判断するヘッダ解析部と、前記玄関子機から送信されたデータを格納し、少なくとも一画面分のデータを保持できるバッファメモリと、前記バッファメモリに対する動作を制御するメモリコントローラと、を有しており、
前記メモリコントローラは、前記ヘッダ解析部から有効なデータを受け取った場合には、この有効なデータを順次前記バッファメモリに書き込むとともに、前記バッファメモリに一画面分のデータが書き込まれた場合、この一画面分のデータを読み出す制御を行い、前記ヘッダ解析部から無効なデータを受け取った場合には、該データおよび前記バッファメモリ内に書き込まれている直近の一画面分に関するデータを破棄し、その後前記ヘッダ解析部から有効なデータを受け取った場合に該データを前記バッファメモリに書き込む構成となっている、
請求項１記載のインターホンシステム。
【発明の詳細な説明】
【技術分野】
【０００１】
本発明は、インターホンシステムに関する。
【背景技術】
【０００２】
従来より、図５に示すような構成のインターホンシステム５００が知られている。
このインターホンシステム５００は、来訪者が居住者を呼び出すための図示しない呼出ボタンおよびカメラを備えた玄関子機５１０と、玄関子機５１０からの呼び出しに応答するための図示しない通話ボタンおよび玄関子機５１０のカメラにより撮像された撮像画像を表示する図示しないモニタを有する居室親機５２０とを有している。
玄関子機５１０は、カメラ部５１１と、カメラ部５１１により撮像された撮像画像データを圧縮するＪＰＥＧエンコーダ５１２と、ＪＰＥＧエンコーダ５１２で圧縮された圧縮データ（ＪＰＥＧデータ）を格納するバッファメモリ５１４と、バッファメモリ５１４に対する書き込み、読み出し等の動作を制御するメモリコントローラ５１３と、バッファメモリ５１４から読み出された圧縮データを居室親機５２０に送信する伝送部５１５とを有している。
居室親機５２０は、玄関子機５１０から送信された圧縮データを受信する伝送部５２１と、伝送部５２１により受信した圧縮データを格納するバッファメモリ５２３と、バッファメモリ５２３に対する書き込み、読み出し等の動作を制御するメモリコントローラ５２２と、バッファメモリ５２３に格納した圧縮データを伸張するＪＰＥＧデコータ５２４と、ＪＰＥＧデコータ５２４により伸張された画像データを格納する表示用メモリ５２５と、表示用メモリ５２５内に格納された画像データを表示する表示部５２６とを有している。
【０００３】
玄関子機５１０の呼出ボタンが来訪者により押下された場合、居室親機５２０が呼出状態となるとともに、玄関子機５２０のカメラ部５１１による撮像が開始される。
このカメラ部５１１により撮像された撮像画像データは、ＪＰＥＧエンコーダ５１２に送信されて圧縮される。圧縮された圧縮データは、メモリコントローラ５１３の制御のもと、バッファメモリ５１４に格納される。メモリコントローラ５１３は、一画面分の圧縮データがバッファメモリ５１４に格納されると、伝送フレームのサイズ分バッファメモリ５１４から圧縮データを読み出し、伝送部５１５に転送する。伝送部５１５は、メモリコントローラ５１３から受け取った圧縮データを、伝送線路Ｌ２を介して居室親機５２０の伝送部５２１に送信する。
ここで、撮像画像データのサイズは常に同じ大きさではなく、来訪者の着用している服の柄や背景により異なり、サイズの大きい撮像画像データが突然生成される場合がある。このような場合、居室親機５２０に送信すべき圧縮データのサイズも大きくなり、送信すべき圧縮データのサイズが大きいために伝送部５１５の伝送速度では処理しきれない場合がある。
このような場合、メモリコントローラ５１３の制御のもと、バッファメモリ５１４内の、サイズの大きい撮像画像データに関する一画面分の圧縮データを破棄し、バッファメモリ５１４内に次の圧縮データを上書きすることにより（すなわちエラーの原因となる圧縮データを玄関子機５１０から居室親機５２０に伝送する前に破棄することにより）、画像表示に関する動作が停止してしまうようなエラーを発生させない構成となっている。
【先行技術文献】
【特許文献】
【０００４】
【特許文献１】特開２００４−２３５８８５号公報
【発明の概要】
【発明が解決しようとする課題】
【０００５】
以上のようなインターホンシステム５００では、玄関子機５１０に圧縮データを格納するためのバッファメモリ５１４が必要であるためコストがかかり、また、このバッファメモリ５１４に一画面分の圧縮データを格納して処理することによる居室親機５２０の表示部５２６への表示速度の遅延が問題となっていた。
【０００６】
本発明は、以上のような問題点に鑑みてなされたものであり、メモリコストの削減および表示速度の遅延を低減させることができるとともに、サイズの大きなデータが現れた場合でも正常に動作させることができるインターホンシステムを提供することを課題とする。
【課題を解決するための手段】
【０００７】
上記課題を解決するために、本願発明者は、以下のようなインターホンシステムを提案する。
【０００８】
本発明のインターホンシステムは、来訪者が居住者を呼び出すための呼出ボタン、前記来訪者が前記居住者と通話するための子機マイクおよび子機スピーカ、および前記来訪者を撮像するためのカメラを有する玄関子機と、前記玄関子機からの呼び出しに応答するための通話ボタン、前記居住者が前記来訪者と通話するための親機マイクおよび親機スピーカ、および前記カメラにより撮像された撮像画像を表示するモニタを有する居室親機と、を有している。
このインターホンシステムの玄関子機は、所定のデータを一時的に格納するＦＩＦＯメモリと、前記カメラ側から受け取った撮像データを順次前記ＦＩＦＯメモリに入力するとともに、前記ＦＩＦＯメモリから順次出力される前記撮像データを前記ヘッダ付与部に送信する制御を行うＦＩＦＯコントローラと、前記ＦＩＦＯコントローラから順次受け取ったデータに、該データが有効なデータであるか否かを示すヘッダを付与するヘッダ付与部とを有している。
ＦＩＦＯコントローラは、前記ＦＩＦＯメモリがフルになった場合、前記カメラ側から受け取った撮像データの前記ＦＩＦＯメモリへの入力を停止するとともに前記カメラ側から受け取った前記撮像データを破棄し、前記ＦＩＦＯメモリがエンプティになった後も、前記カメラ側から次の撮像画像の先頭となる撮像データを受け取るまでは該撮像データを破棄し、前記ＦＩＦＯメモリがエンプティになった後、前記カメラ側から次の撮像画像の先頭となる撮像データを受け取った場合、前記ＦＩＦＯメモリへの前記カメラ側から受け取った前記撮像データの書き込みを再開する制御を行う構成となっており、前記ヘッダ付与部は、前記ＦＩＦＯコントローラから前記ＦＩＦＯメモリへの入力を停止したことを示す信号を受信するまでは、前記ＦＩＦＯコントローラから受け取ったデータに該データが有効であることを示すヘッダを付与し、前記ＦＩＦＯコントローラから前記ＦＩＦＯメモリへの入力を停止したことを示す信号を受信した場合、前記ＦＩＦＯコントローラから受け取ったデータに該データが無効であることを示すヘッダを付与し、その後前記ＦＩＦＯコントローラから前記ＦＩＦＯメモリへの入力を再開したことを示す信号を受信した場合、前記ＦＩＦＯコントローラから受け取ったデータに該データが有効であることを示すヘッダを付与する構成となっている。
本発明のインターホンシステムは、従来のインターホンシステムの玄関子機のバッファメモリの代わりにＦＩＦＯ（First-In First-Out）メモリを使用することによって、メモリコストを削減させることができる。また、本発明のインターホンシステムは、従来のように一画面分のデータが格納されてから処理するのではなく、ＦＩＦＯメモリから順次出力されるデータを順次居室親機に伝送する構成となっているので、処理速度を高めることができ、表示速度の遅延を低減させることができる。
また、本発明のインターホンシステムは、ＦＩＦＯメモリがフルになった場合、ＦＩＦＯコントローラがＦＩＦＯメモリへの撮像データの入力を停止するとともにカメラ側から受け取った撮像データを破棄するようになっており、ＦＩＦＯメモリが再びエンプティになった後、カメラ側から次の撮像画像の先頭となる撮像データを受け取った場合にＦＩＦＯメモリへのカメラ側から受け取った撮像データの入力を再開する構成となっているため、サイズの大きい撮像画像データが突然生成され、伝送部の伝送速度では処理しきれないような場合でも玄関子機から居室親機への圧縮データの伝送を停止させないような構成となっている。
なお、「撮像データ」とは、カメラから出力されるデータである撮像画像データ自体または撮像画像データが圧縮された圧縮データのいずれかを意味する。
さらに、ヘッダ付与部は、ＦＩＦＯコントローラからＦＩＦＯメモリへの入力を停止したことを示す信号を受信するまでは、ＦＩＦＯコントローラから受け取ったデータに該データが有効であることを示すヘッダを付与するようになっており、ＦＩＦＯコントローラからＦＩＦＯメモリへの入力を停止したことを示す信号を受信した場合にＦＩＦＯコントローラから受け取ったデータに該データが無効であることを示すヘッダを付与し、その後ＦＩＦＯコントローラからＦＩＦＯメモリへの入力を再開したことを示す信号を受信した場合、ＦＩＦＯコントローラから受け取ったデータに該データが有効であることを示すヘッダを付与する構成となっているため、居室親機側で受け取ったデータのヘッダ情報を参照することにより、該データが有効なデータか否かを判断することができる。
このように、本発明のインターホンシステムによれば、玄関子機および居室親機の双方で、エラーの原因となるべき圧縮データの一部を破棄することで、サイズの大きなデータが現れた場合でも正常に動作させることができる。
【０００９】
居室親機は、前記玄関子機から送信されたデータのヘッダを解析して該データが有効であるか否かを判断するヘッダ解析部と、前記玄関子機から送信されたデータを格納し、少なくとも一画面分のデータを保持できるバッファメモリと、前記バッファメモリに対する動作を制御するメモリコントローラと、を有しており、前記メモリコントローラは、前記ヘッダ解析部から有効なデータを受け取った場合には、この有効なデータを順次前記バッファメモリに書き込むとともに、前記バッファメモリに一画面分のデータが書き込まれた場合、この一画面分のデータを読み出す制御を行い、前記ヘッダ解析部から無効なデータを受け取った場合には、該データおよび前記バッファメモリ内に書き込まれている直近の一画面分に関するデータを破棄し、その後前記ヘッダ解析部から有効なデータを受け取った場合に該データを前記バッファメモリに書き込む構成となっていてもよい。
このような構成の居室親機によれば、無効なデータを受け取った場合には、この無効なデータおよび既にバッファメモリ内に書き込まれているデータ、すなわち未完成データを破棄し、その後ヘッダ解析部から有効なデータを受け取った場合、該データをバッファメモリに書き込む構成となっているので、居室親機側で有効なデータのみを処理してモニタに表示することができる。
【発明の効果】
【００１０】
本発明によれば、メモリコストの削減および表示速度の遅延を低減させることができるとともに、サイズの大きなデータが現れた場合でも正常に動作させることができるインターホンシステムを提供することができる。
【図面の簡単な説明】
【００１１】
【図１】本実施形態のインターホンシステムの全体構成を示す図。
【図２】本実施形態のインターホンシステムの構成を示すブロック図。
【図３】本実施形態のインターホンシステムの玄関子機における動作の一部を示すフローチャート。
【図４】本実施形態のインターホンシステムの居室親機のおける動作の一部を示すフローチャート。
【図５】従来のインターホンシステムの構成を示すブロック図。
【発明を実施するための形態】
【００１２】
以下、本発明のインターホンシステムの好ましい実施形態を、図面を参照しながら詳細に説明する。
【００１３】
本実施形態によるインターホンシステム１は、概略で図１および図２に示すように構成される。
すなわち、本実施形態のインターホンシステム１は、住宅のエントランスに設置され、来訪者が居住者の呼出操作を行うための呼出ボタン１１、居住者と通話するための子機マイク１２および子機スピーカ１３、および来訪者を撮像するためのカメラ１４を備える玄関子機１０と、住戸内に設置され、玄関子機１０からの呼び出しに応答する通話ボタン２１、来訪者と通話するための親機マイク２２および親機スピーカ２３およびモニタ２４を備える居室親機２０とを有している。
この玄関子機１０と居室親機２０とは伝送線路Ｌ１を介して接続されている。
【００１４】
玄関子機１０は、図２に示すように、カメラ部１０１と、カメラ部１０１によって撮像された画像である撮像画像データを圧縮するＪＰＥＧエンコーダ１０２と、ＪＰＥＧエンコーダ１０２により圧縮された圧縮データ（ＪＰＥＧデータ）を一時的に格納するＦＩＦＯメモリ１０４と、ＦＩＦＯメモリ１０４に対する動作を制御するＦＩＦＯコントローラ１０３と、ＦＩＦＯメモリ１０４からＦＩＦＯコントローラ１０３を介して受け取ったデータに所定のヘッダを生成して付与するヘッダ付与部１０５と、ヘッダ付与部１０５から受け取ったデータを居室親機２０に送信する伝送部１０６とを有している。尚、ＦＩＦＯメモリ１０４は画像サイズより小さい容量となっている。
【００１５】
居室親機２０は、図２に示すように、玄関子機１０の伝送部１０６から送信された圧縮データを伝送線路Ｌ１を介して受信する伝送部２０１と、伝送部２０１で受け取った圧縮データのヘッダを解析するヘッダ解析部２０２と、所定の圧縮データを格納するバッファメモリ２０４と、バッファメモリ２０４に対する動作を制御するメモリコントローラ２０３と、バッファメモリ２０４に格納された圧縮データを伸張するＪＰＥＧデコーダ２０５と、ＪＰＥＧデコーダ２０５により伸張された撮像画像データを格納する表示用メモリ２０６と、表示用メモリ２０６に格納された撮像画像データを表示する表示部２０７とを有している。本実施形態のバッファメモリ２０４は、少なくとも一画面分の圧縮データを格納できるようになっている。
【００１６】
次に、以上のように構成されたインターホンシステム１の動作について、説明する。
【００１７】
来訪者が玄関子機１０の呼出ボタン１１を押下した場合、居室親機２０が呼出状態となるとともに、玄関子機１０のカメラ１４による撮像が開始される。
カメラ部１０１により撮像された撮像画像データは、ＪＰＥＧエンコーダ１０２に送信される。
ＪＰＥＧエンコーダ１０２は、受け取った撮像画像データを圧縮する。ＪＰＥＧエンコーダ１０２により圧縮された圧縮データは、ＦＩＦＯコントローラ１０３に入力され、ＦＩＦＯコントローラ１０３の制御のもと、順次ＦＩＦＯメモリ１０４に入力される。次に、ＦＩＦＯコントローラ１０３はＦＩＦＯメモリ１０４内から順次出力された圧縮データをヘッダ付与部１０５に送信する。
ヘッダ付与部１０５は、ＦＩＦＯコントローラ１０３から受け取った圧縮データに該データが有効であるか否かを示すヘッダを付与する。ヘッダ付与部１０５から出力されるヘッダ付き圧縮データは伝送部１０６に送信され、伝送部１０６から居室親機２０に送信される。
ヘッダ付与部１０５は、具体的には、ＦＩＦＯコントローラ１０３からＦＩＦＯメモリ１０４への圧縮データの入力を停止したことを示す信号を受信するまでは、ＦＩＦＯコントローラ１０３から受け取った圧縮データに該データが有効であることを示すヘッダを付与し、ＦＩＦＯコントローラ１０３からＦＩＦＯメモリ１０４への圧縮データの入力を停止したことを示す信号を受信した場合、ＦＩＦＯコントローラ１０３から受け取ったデータに該データが無効であることを示すヘッダを付与し、その後ＦＩＦＯコントローラ１０３からＦＩＦＯメモリ１０４への圧縮データの入力を再開したことを示す信号を受信した場合には、再びＦＩＦＯコントローラ１０３から受け取ったデータに該データが有効であることを示すヘッダを付与する。
【００１８】
以下、ＪＰＥＧエンコーダ１０２より圧縮データが出力されてから、ヘッダ付与部１０５による有効または無効のヘッダが付与されるまでの流れを、図３のフローチャートを参照して説明する。
ＦＩＦＯコントローラ１０３は、圧縮データをＪＰＥＧエンコーダ１０２から受け取る（ＳＴ３０１Ａ）。ＪＰＥＧエンコーダ１０２から圧縮データを受け取ったＦＩＦＯコントローラ１０３は、ＦＩＦＯメモリ１０４がフルでない場合（ＳＴ３０２：Ｎｏ）、該圧縮データをＦＩＦＯメモリ１０４に入力する（ＳＴ３０３）。また、ＦＩＦＯコントローラ１０３はＦＩＦＯメモリ１０４から出力された圧縮データをヘッダ付与部１０５に送信し、ヘッダ付与部１０５は、ＦＩＦＯコントローラ１０３から受け取った圧縮データに該データが有効であることを示すヘッダを付与する（ＳＴ３０４）。
一方、ＦＩＦＯメモリ１０４がフルである場合（ＳＴ３０２：Ｙｅｓ）、ＦＩＦＯコントローラ１０３は、ＦＩＦＯメモリ１０４への圧縮データの出力を停止してＪＰＥＧエンコーダ１０２から受け取った圧縮データを破棄するとともに、ヘッダ付与部１０５にＦＩＦＯメモリ１０４への入力を停止したことを示す信号を送信する（ＳＴ３０５）。また、ＦＩＦＯコントローラ１０３はＦＩＦＯメモリ１０４から出力された圧縮データをヘッダ付与部１０５に送信し、ヘッダ付与部１０５は、ＦＩＦＯコントローラ１０３から受け取った圧縮データに該データが無効であることを示すヘッダを付与する（ＳＴ３０６）。
ＦＩＦＯコントローラ１０３は、ＦＩＦＯメモリ１０４がエンプティになるまで（ＳＴ３０７：Ｎｏ）ＪＰＥＧエンコーダから圧縮データを受け取っても（ＳＴ３０１Ｂ）、圧縮データを破棄し、ＦＩＦＯメモリ１０４に出力しない。
また、その後ＦＩＦＯメモリがエンプティになった場合でも（ＳＴ３０７：Ｙｅｓ）、ＦＩＦＯコントローラ１０３は、ＪＰＥＧエンコーダ１０２から次の撮像画像の先頭となる圧縮データ（ＳＯＩ：Start Of Image）を受け取るまではＪＰＥＧエンコーダ１０２から受け取った圧縮データを破棄し、ＦＩＦＯメモリ１０４に出力しない（ＳＴ３０８：Ｎｏ）。ヘッダ付与部１０５は、この間にＦＩＦＯコントローラ１０３から送信された圧縮データに、該データが無効であることを示すヘッダを付与する。
ＦＩＦＯメモリ１０４がエンプティになった後、ＦＩＦＯコントローラ１０３がＪＰＥＧエンコーダ１０２からＳＯＩを受け取った場合（ＳＴ３０８：Ｙｅｓ）、ＦＩＦＯコントローラ１０３は、ＦＩＦＯメモリ１０４への圧縮データの入力を再開するとともに、ヘッダ付与部１０５にＦＩＦＯメモリ１０４への入力を再開したことを示す信号を送信する。ＦＩＦＯメモリ１０４への入力を再開したことを示す信号を受信したヘッダ付与部１０５は、ＦＩＦＯコントローラ１０３から受け取った圧縮データに該データが有効であることを示すヘッダを付与する。
【００１９】
このように、本実施形態のインターホンシステム１は、従来のインターホンシステム５００の玄関子機５１０のバッファメモリ５１４の代わりにＦＩＦＯメモリ１０４を使用するため、メモリコストを削減させることができる。また、本発明のインターホンシステム１は、従来のように一画面分のデータが格納されてから処理するのではなく、ＦＩＦＯメモリ１０４から順次出力されるデータを順次居室親機２０に伝送する構成となっているので、処理速度を高めることができ、表示速度の遅延を低減させることができる。
また、本実施形態のインターホンシステム１は、ＦＩＦＯメモリ１０４がフルになった場合、ＦＩＦＯコントローラ１０３がＦＩＦＯメモリ１０４への入力を停止するとともにＪＰＥＧエンコーダ１０２から受け取った圧縮データを破棄するようになっており、ＦＩＦＯメモリ１０４が再びエンプティになった後、ＪＰＥＧエンコーダ１０２から次の撮像画像の先頭データを受け取った場合にＦＩＦＯメモリ１０４へのＪＰＥＧエンコーダ１０２から受け取った圧縮データの入力を再開する構成となっているため、サイズの大きい撮像画像データが突然生成され、伝送部１０６の伝送速度では処理しきれないような場合でも、玄関子機１０から居室親機２０への圧縮データの伝送を停止させないような構成となっている。
さらに、本実施形態のインターホンシステム１によれば、玄関子機１０のヘッダ付与部１０５が、ＦＩＦＯコントローラ１０３からＦＩＦＯメモリ１０４への入力を停止したことを示す信号を受信するまではＦＩＦＯコントローラ１０３から受け取ったデータに該データが有効であることを示すヘッダを付与するようになっており、ＦＩＦＯコントローラ１０３からＦＩＦＯメモリ１０４への入力を停止したことを示す信号を受信した場合にＦＩＦＯコントローラ１０３から受け取ったデータに該データが無効であることを示すヘッダを付与し、その後ＦＩＦＯコントローラ１０３からＦＩＦＯメモリ１０４への入力を再開したことを示す信号を受信した場合、ＦＩＦＯコントローラ１０３から受け取ったデータに該データが有効であることを示すヘッダを付与する構成となっているため、後述のように、居室親機２０側で受け取ったデータのヘッダ情報を参照することにより、該データが有効なデータか否かを判断し、画像表示のための処理することができ、サイズの大きなデータが現れた場合でも正常に動作させることができる。
【００２０】
次に、居室親機２０に送信されたヘッダ付き圧縮データの処理の流れを、図４のフローチャートを参照して説明する。
玄関子機１０から送信されたヘッダ付き圧縮データは、居室親機２０の伝送部２０１により受信される（ＳＴ４０１：Ｙｅｓ）。
伝送部２０１により受信されたヘッダ付き圧縮データは、ヘッダ解析部２０２に送信される。ヘッダ解析部２０２は、ヘッダ付き圧縮データのヘッダを解析して該データが有効か否か判断する。ヘッダ解析部２０２により有効か無効か判断された圧縮データは、メモリコントローラ２０３に送信される。
【００２１】
メモリコントローラ２０３は、ヘッダ解析部２０２から有効な圧縮データを受け取った場合（ＳＴ４０２：Ｙｅｓ）、該有効な圧縮データをバッファメモリ２０４に書き込む（ＳＴ４０３）。
バッファメモリ２０４に一画面分の圧縮データが書き込まれると、メモリコントローラ２０３はバッファメモリ２０４に書き込まれた圧縮データを読み出してＪＰＥＧデコーダ２０５に送信する。ＪＰＥＧデコーダ２０５は、メモリコントローラ２０３から受け取った圧縮データを伸張する。ＪＰＥＧエンコーダ２０５により伸張されたデータは、メモリコントローラ２０３に入力され、メモリコントローラ２０３の制御のもと、表示用メモリ２０６に書き込まれる。表示用メモリ２０６に一画面分の伸張されたデータが書き込まれると、メモリコントローラ２０３は表示用メモリ２０６に書き込まれたデータを読み出し、表示部２０７に出力する。この表示用メモリ２０６により、フレームレートを合わせてモニタ２４に表示することができる。
【００２２】
一方、メモリコントローラ２０３は、ヘッダ解析部２０２から無効な圧縮データを受け取った場合（ＳＴ４０２：Ｎｏ）、該無効な圧縮データを破棄し（ＳＴ４０４）、バッファメモリ２０４に現在書き込まれている直近の一画面分に関する圧縮データを破棄する（ＳＴ４０５）。
その後、メモリコントローラ２０３がヘッダ解析部２０２から有効な圧縮データを受け取った場合、上述と同様、該有効な圧縮データをバッファメモリ２０４に書き込む。
【００２３】
以上のように、このような構成の居室親機２０によれば、無効な圧縮データを受け取った場合には、この無効なデータおよび既にバッファメモリ２０４内に書き込まれている直近の一画面分の関するデータ、すなわち未完成データを破棄し、その後ヘッダ解析部２０２から有効なデータを受け取った場合、該データをバッファメモリ２０４に書き込む構成となっているので、居室親機２０側でこのヘッダ情報を参照することによって有効なデータか否かを判断することができ、有効なデータのみを処理し、表示部２０７に表示することができる。すなわち、本実施形態のインターホンシステム１では、玄関子機１０および居室親機２０の双方で、エラーの原因となるべき圧縮データの一部を破棄することで、サイズの大きなデータが現れた場合でも正常に動作させることができる。
【００２４】
なお、本実施形態では、玄関子機１０から居室親機２０に撮像画像データを圧縮した圧縮データが伝送されるものとして説明したが、これに限られず、玄関子機１０から居室親機２０に撮像画像データ自体が伝送されるような構成としてもよい。
【符号の説明】
【００２５】
１・・インターホンシステム、１０・・玄関子機、１１・・呼出ボタン、１２・・子機マイク、１３・・子機スピーカ、１４・・カメラ、２０・・居室親機、２１・・通話ボタン、２２・・親機マイク、２３・・親機スピーカ、２４・・モニタ、１０１・・カメラ部、１０２・・ＪＰＥＧエンコーダ、１０３・・ＦＩＦＯコントローラ、１０４・・ＦＩＦＯメモリ、１０５・・ヘッダ付与部、１０６，２０１・・伝送部、２０２・・ヘッダ解析部、２０３・・メモリコントローラ、２０４・・バッファメモリ、２０５・・ＪＰＥＧデコーダ、２０６・・表示用メモリ、２０７・・表示部。
【図１】
2012114731.tif 000003
【図２】
2012114731.tif 000004
【図３】
2012114731.tif 000005
【図４】
2012114731.tif 000006
【図５】
2012114731.tif 000007